(57)【特許請求の範囲】
【請求項１】
音管を支持体に吊り下げるための吊下部材であって、
前記吊下部材は、前記吊下部材の一端から前記音管に設けられた貫通穴に通すことができるように構成されており、
前記音管は、前記吊下部材を前記貫通穴に通すとともに、前記吊下部材の先端部を前記支持体に設けられた凹部に掛けることにより、前記支持体に吊り下げられる、
吊下部材。
【請求項２】
前記吊下部材の前記先端部は、前記貫通穴の貫通方向に沿った方向において前記凹部に掛けられる、請求項１記載の吊下部材。
【請求項３】
前記吊下部材の前記先端部は、球状である、請求項１または２記載の吊下部材。
【請求項４】
請求項１ないし３のいずれか記載の吊下部材であって、さらに、
前記貫通穴に嵌め込まれるブッシュを有している、
吊下部材。
【請求項５】
請求項１ないし４のいずれか記載の吊下部材を用いて、２つの音管が吊り下げられる支持体であって、
前記支持体に設けられた前記凹部は、前記２つの音管を吊り下げる前記吊下部材の２つの先端部を収容するように構成されており、
前記２つの先端部は、前記２つの音管の配列方向に並んだ状態で前記凹部に収容される、
支持体。
【発明の詳細な説明】
【技術分野】
【０００１】
この発明は、管状の発音体である音管を支持体に吊り下げることによって構成される楽器に関する。
【背景技術】
【０００２】
旋律の演奏が可能な打楽器として、フレームに吊り下げられた長さの異なる複数の金属管（音管）を打撃することにより、異なる音高の音を発生させるチャイム（チューブラーベル）が知られている（例えば、特許文献１参照）。このようなチャイムでは、音管をフレームに吊り下げるため、音管には、吊り孔が設けられ、当該吊り孔に通した環状の吊り紐が取り付けられる。一方、フレームには、フレームの一部を構成するハンガーバーがフレームの上部に設けられる。ハンガーバーには、鉛直方向の溝が設けられハンガーバーから水平方向に延びるハンガーピンが取り付けられるともに、ハンガーバーの上面には、固定ピンが取り付けられる。音管のハンガーバーへの吊り下げは、音管を支えるとともに、吊り紐をハンガーピンの溝に掛けつつ、吊り紐を固定ピンに掛けることにより行われる。
【先行技術文献】
【特許文献】
【０００３】
【特許文献１】特開平６−１４９２３７号公報
【発明の概要】
【発明が解決しようとする課題】
【０００４】
ところで、音管は金属製であり重量が大きくなるため、音管を支えながら吊り紐を取り回すことは難しく、音管の脱着は必ずしも容易ではなかった。また、吊り紐が切れた場合等においては、吊り紐を吊り孔を通して取り付け直すこととなるが、音管の重量を支えるため、吊り紐を環状にする際の接合部分の強度を十分に高くする必要がある。しかしながら、接合部分の強度を十分に高くすることは容易ではなく、吊り紐が切れた場合等のメンテナンスを簡単に行うことができなかった。この問題は、チャイムに限らず音管を支持体に吊り下げることによって構成される種々の楽器に共通する。
【０００５】
本発明は、上述した従来の課題を解決するためになされたものであり、音管を支持体に吊り下げることによって構成される楽器において、音管の脱着をより容易にするとともに、音管を吊り下げる吊下構造のメンテナンスをより容易とする技術を提供することを目的とする。
【課題を解決するための手段】
【０００６】
上記課題の少なくとも一部を達成するために、本発明の第１の態様である吊下部材は、音管を支持体に吊り下げるための吊下部材であって、前記吊下部材は、前記吊下部材の一端から前記音管に設けられた貫通穴に通すことができるように構成されており、前記音管は、前記吊下部材を前記貫通穴に通すとともに、前記吊下部材の先端部を前記支持体に設けられた凹部に掛けることにより、前記支持体に吊り下げられることを特徴とする。
【０００７】
この構成では、音管の支持体への吊り下げは、吊下部材の先端部を支持体に設けられた凹部に掛けることにより行われる。これにより、音管の吊り下げは、吊下部材の先端部を凹部に合わせ、音管を下方に降ろすことにより行うことができ、また、音管の取り外しは、音管を上方に持ち上げることにより行うことができる。そのため、音管の着脱をより容易にすることができる。また、吊下部材は、その一端から音管の貫通穴に通されるように構成されているので、吊下部材の音管への着脱が容易である。そのため、吊下部材の交換等、音管を吊り下げるための吊下構造のメンテナンスをより容易にすることができる。
【０００８】
前記吊下部材の前記先端部は、前記貫通穴の貫通方向に沿った方向において前記凹部に掛けられるものとしても良い。貫通穴の貫通方向に沿った方向において、吊下部材の先端部を凹部に掛けるようにすることにより、吊下部材の折れ曲がりを抑制することができる。そのため、吊下部材を屈曲させることに起因する吊下部材の劣化を抑制し、吊下部材の耐久性を高めることができる。
【０００９】
前記吊下部材の前記先端部は、球状であるものとしても良い。吊下部材の先端部を球状とすることにより、音管の着脱の際に先端部が凹部に引っ掛かることが抑制される。そのため、音管の脱着をより容易にすることができる。
【００１０】
前記吊下部材は、さらに、前記貫通穴に嵌め込まれるブッシュを有しているものとしても良い。貫通穴に嵌め込まれるブッシュを吊下部材に設けることにより、音管から吊下部材が脱落することを抑制することができる。そのため、吊下部材の紛失等、吊下部材が脱落することにより発生しうる問題を避けることが可能となる。
【００１１】
上記課題の少なくとも一部を達成するために、本発明の第２の態様である支持体は、上述の吊下部材を用いて、２つの音管が吊り下げられる支持体であって、前記支持体に設けられた前記凹部は、前記２つの音管を吊り下げる前記吊下部材の２つの先端部を収容するように構成されており、前記２つの先端部は、前記２つの音管の配列方向に並んだ状態で前記凹部に収容されることを特徴とする。
【００１２】
この構成によれば、２つの音管を吊り下げるために吊下部材の２つの先端部を凹部に収容する際に、２つの先端部が音管の配列方向に並んだ状態となる。そのため、一方の音管を取り外すために凹部に収容された先端部の一方を取り外す際に、当該先端部が凹部に収容された他方の先端部に引っ掛かることが抑制される。これにより、２つの音管を個々に着脱することがより容易となる。
【００１３】
なお、本発明は、種々の態様で実現することが可能である。例えば、音管を吊り下げるために吊下部材、その吊下部材を用いて音管と吊り下げる支持体、それらの吊下部材および支持体を使用したチャイム等の楽器、等の態様で実現することができる。
【図面の簡単な説明】
【００１４】
【図１】本発明の一実施形態としてのチャイムの全体構成を示す全体構成図。
【図２】ハンガーに音管が吊り下げられる様子を示す説明図。
【図３】音管を吊り下げるための吊下部材の構成を示す説明図。
【図４】吊下部材を音管に取り付ける様子を示す説明図。
【図５】吊下部材が取り付けられた音管をハンガーピンに吊り下げた様子を示す説明図。
【発明を実施するための形態】
【００１５】
Ａ．チャイムの構成：
図１は、本発明の一実施形態としてのチャイム１（「チューブラーベル」とも呼ばれる）の全体構成を示す全体構成図である。図１は、チャイム１を前方から見た様子を示している。ここで、前方とは、演奏時において演奏者からチャイム１を見た際の手前側、すなわち、図１の紙面に対して垂直上方側のことをいう。同様に、演奏者からチャイム１を見た際の後側、すなわち、図１の紙面に対して垂直下方側のことを後方という。また、本明細書においては、特に記載がない限り、上下左右の各方向を、演奏時において演奏者からチャイム１を見た際の方向として規定する。
【００１６】
チャイム１は、複数の音管１０（「サウンドコラム」とも呼ばれる）と、音管１０を吊り下げるためのフレーム２０とを備えている。フレーム２０は、脚部２１と、脚部２１の左右両端部から鉛直上方に立ち上がる２本の支柱２２と、２本の支柱２２の上端を渡すように形成されたハンガー３０とを有している。ハンガー３０は、左右両端において支柱２２に固定される２つの支柱取付部３１と、２つの支柱取付部３１の間に設けられたハンガーバー３２とを有している。なお、チャイム１は、音管１０やフレーム２０の他、ダンパー等を有しているが、音管１０およびハンガー３０以外の部分は、本発明と直接関連しないので、ここではその説明を省略する。
【００１７】
ハンガーバー３２には、前方に延びるハンガーピン（前方ピン）３３と、鉛直上方に立ち上がり、後方に延びるハンガーピン（後方ピン）３４とが設けられている。音管１０は、隣接する２つの前方ピン３３、あるいは、隣接する２つの後方ピン３４に、吊下部材（後述する）を用いて吊り下げられる。このときハンガーピン３３，３４は、吊り下げられた音管１０を支持することになるので、「支持体」とも呼ぶことができる。また、本実施形態のチャイム１では、前方に延びる前方ピン３３と、後方に延びる後方ピン３４とに音管１０が吊り下げられるので、図１に示すように、複数の音管１０が前方および後方の２列で配列される。なお、一般的に、音管１０は、左から右に向かって順番に音高が高くなるように配列されるとともに、前方には、幹音を発生する音管１０が配列され、後方には、派生音を発生する音管１０が配列される。
【００１８】
図２は、ハンガー３０に音管１０が吊り下げられる様子を示す説明図である。図２では、図示の便宜上、ハンガー３０の一部にのみ音管１０を吊り下げた状態を示している。上述のように、ハンガーバー３２には、ハンガーバー３２から前方に延びる前方ピン３３と、ハンガーバー３２から鉛直上方に立ち上がり後方に延びる後方ピン３４とが設けられている。
【００１９】
前方ピン３３の前方の端部には、鉛直上方に開口した凹部３３１が設けられている。また、前方ピン３３には、凹部３３１が設けられた位置において、前方ピン３３の左右両端からそれぞれ凹部３３１に向かって形成された２つの切込３３２が設けられている。同様に、後方ピン３４の後方の端部には、鉛直上方に開口した凹部３４１と、後方ピン３４の左右両端からそれぞれ凹部３４１に向かう２つの切込３４２とが設けられている。具体的には後述するが、音管１０は、音管１０に設けられた貫通穴に吊下部材４０を通し、吊下部材４０の先端部を前方ピン３３あるいは後方ピン３４に設けられた凹部３３１，３４１に掛けることにより、前方ピン３３あるいは後方ピン３４に吊り下げられる。なお、前方ピン３３および後方ピン３４に設けられた凹部３３１，３４１と切込３３２，３４２との具体的な形状については、後述する。
【００２０】
Ｂ．吊下部材の構成：
図３は、音管１０を吊り下げるための吊下部材４０の構成を示す説明図である。図３（ａ）は、吊下部材４０の全体構成を示している。吊下部材４０は、ワイヤー４１と、ワイヤー４１の両端に固定された球状の先端部４２と、ゴム等の弾性材料で形成された２つのブッシュ４３とを有している。ワイヤー４１としては、通常、金属製のワイヤー芯材の外周を樹脂で被覆した樹脂被覆ワイヤーが使用される。先端部４２は、ワイヤー４１を挿入するための孔が設けられた金属製の球形部材を準備し、当該球形部材にワイヤー４１を挿入した後、球形部材をかしめることによりワイヤー４１に固定される。この先端部４２の外径は、音管１０に設けられた貫通穴の内径よりも小さく設定される。なお、球形部材は、必ずしも金属製である必要はなく、樹脂製とすることも可能である。樹脂製の球形部材は、ワイヤー４１の先端に樹脂を一体成形することにより、ワイヤー４１の先端に固定することができる。この場合、球状部材とワイヤー４１との接合をより強固なものとするため、ワイヤー４１の先端を折り曲げたり、ほぐしたりしたうえで、樹脂の一体成形を行うのが好ましい。
【００２１】
図３（ｂ）および図３（ｃ）は、吊下部材４０が有するブッシュ４３の形状を示している。ブッシュ４３は、音管１０に設けられた貫通穴の内径とほぼ同径で、当該貫通穴に挿入される挿入部４３１と、挿入部４３１よりも外径が大きい大径部４３２とを有している。ブッシュ４３には、その中心において挿入部４３１から大径部４３２まで貫通する通し穴４３３と、挿入部４３１および大径部４３２の外周から通し穴４３３に達する切込４３４とが設けられている。通し穴４３３の内径は、ワイヤー４１の外径よりも大きく、先端部４２の外径よりも小さくなっている。切込４３４の幅は、ワイヤー４１の外径よりもやや狭く設定される。この切込４３４を通してワイヤー４１を通し穴４３３に入れることにより、ブッシュ４３はワイヤー４１に取り付けられる。なお、ブッシュの材質や通し穴の大きさ等を適宜調整することによって先端部４２を通し穴に通すことができれば、切込４３４を省略することも可能である。但し、ブッシュ４３の取付がより容易となる点で、ブッシュ４３に切込４３４を設けるのが好ましい。
【００２２】
Ｃ．吊下部材の音管への取付：
図４は、吊下部材４０を音管１０に取り付ける様子を示す説明図である。なお、図４では、音管１０については音管１０の中心軸が通る面で切断した断面で図示している。図４に示すように、音管１０は、円筒状の管体１１と、管体１１の上端部に嵌め込まれたキャップ１２とを有している。管体１１には、キャップ１２の下端よりも下側の位置において、２つの貫通穴１８，１９が管体１１の中心軸に対して対称となる位置に設けられている。
【００２３】
上述のように、本実施形態では、吊下部材４０の先端部４２の外径を貫通穴１８，１９の内径よりも小さくしている。そのため、図４（ａ）に示すように、一方の貫通穴１８から吊下部材４０の先端部４２を入れ、他方の貫通穴１９から先端部４２を出すことにより、音管１０の内部にワイヤー４１を通すことができる。ワイヤー４１を音管１０に通した後、図４（ｂ）に示すように、２つのブッシュ４３を２つ貫通穴１８，１９に嵌め込むことにより、吊下部材４０は、音管１０に取り付けられる。
【００２４】
なお、本実施形態では、ブッシュ４３を有する吊下部材４０を音管１０に取り付けているが、ブッシュ４３を省略することも可能である。但し、音管１０から吊下部材４０が脱落することを抑制することができる点で、ブッシュ４３を有する吊下部材４０を用いるのが好ましい。このように、音管１０から吊下部材４０が脱落することを抑制することにより、吊下部材４０の紛失等を避けることが可能となる。
【００２５】
また、本実施形態では、吊下部材４０が有する２つの先端部４２の外径を、ともに音管１０に設けられた貫通穴１８，１９の内径よりも小さくしているが、吊下部材の一方の先端部の外径を、音管１０に設けられた貫通穴１８，１９の内径よりも大きくすることも可能である。この場合、吊下部材は、その一端である外径が貫通穴１８，１９の内径よりも小さい先端部から音管１０の貫通穴１８，１９に通される。但し、チャイム１の使用者である演奏者等において、吊下部材の向きについての注意を要せず、吊下部材の音管１０への着脱操作がより容易となる点で、２つの先端部４２の外径を、ともに音管１０に設けられた貫通穴１８，１９の内径よりも小さくするのが好ましい。
【００２６】
Ｄ．音管のハンガーへの吊り下げ：
図５は、吊下部材４０が取り付けられた音管１０をハンガーピン３３，３４に吊り下げた様子を示す説明図である。図５（ａ）は、音管１０が吊り下げられたハンガー３０を鉛直上方から見た様子を示しており、図５（ｂ）は、音管１０が吊り下げられた前方ピン３３を前方から見た様子を示している。図５（ｂ）では、音管１０については、音管１０の中心軸が通る面で切断した断面で図示するとともに、前方ピン３３については、その一部を凹部３３１の左右方向の中心を通る面（図５（ａ）の二点鎖線Ａ−Ａ）で切断した部分断面で図示している。また、図５（ｂ）では、ハンガーバー３２および後方ピン３４の図示を省略している。なお、後方ピン３４に音管１０を吊り下げた状態は、後方ピン３４がハンガーバー３２から鉛直上方に立ち上がっている他は、前方ピン３３に音管１０を吊り下げた状態と同様である。そのため、後方ピン３４の具体的な形状と、音管１０を後方ピン３４に吊り下げる態様とについては、その説明を省略する。
【００２７】
上述のように、前方ピン３３の前方の端部には、鉛直上方に開口した凹部３３１と、左右両端から凹部３３１に向かう切込３３２とが設けられている。凹部３３１は、図５（ａ）に示すように、幅が吊下部材４０の先端部４２の外径より広く、左右方向に長い長円形（スタジアム形）の有底の穴である。なお、凹部の形状は、種々変更することが可能である。例えば、左右方向に長く形成された凹部において、左右方向の中央部分の幅を狭くするものとしても良く、また、凹部として左右方向に離間した２つの円形の穴を設けるものとしても良い。このようにすれば、隣接する音管１０の一方を着脱する際に、他方の音管１０を吊り下げている吊下部材４０の先端部４２と、着脱する音管１０に取り付けられた吊下部材４０の先端部４２とが引っ掛かることが抑制されるので、個々の音管１０の着脱をより容易に行うことができる。一方、本実施形態のように、凹部３３１を長円形とすることにより、より容易に凹部３３１を形成することができる。
【００２８】
また、本実施形態では、凹部３３１を左右方向、すなわち、音管１０の配列方向に長い長円形としている。そのため、隣接する音管１０に取り付けられた吊下部材４０の先端部４２は、音管１０の配列方向に並んだ状態で凹部３３１に収容されている。しかしながら、凹部は、音管１０の配列方向に長くなるように形成されている必要はなく、例えば、凹部を前後方向に長い形状にすることも可能である。但し、この場合、隣接する音管１０に取り付けられた吊下部材４０の先端部４２が前後方向に並んで凹部に収容されるので、後方に収容された先端部４２を凹部から取り外す際に、凹部に収容された２つの先端部が引っ掛かり、前方に収容された先端部４２が後方に収容された先端部４２とともに凹部から外れる可能性がある。一方、本実施形態では、隣接する音管１０に取り付けられた吊下部材４０の先端部４２が音管１０の配列方向に並んだ状態で凹部３３１に収容されているため、凹部３３１に収容された先端部４２の一方を取り外す際に、凹部に収容された２つの先端部４２が引っ掛かることが抑制されるので、個々の音管１０の着脱をより容易に行うことができる。この点において、凹部３３１は、隣接する音管１０に取り付けられた吊下部材４０の先端部４２を音管１０の配列方向に並んで収容するように構成されるのが好ましい。
【００２９】
切込３３２は、凹部３３１の左右両端を延長した先の前方ピン３３の左右両端からそれぞれ凹部３３１に向かって、前方ピン３３の上下端に渡るように形成されている。切込３３２の長さは、凹部３３１の左右両端から切込３３２の先端までの距離が、吊下部材４０の先端部４２の半径以上となるよう設定するのが好ましい。このように切込３３２を設けることにより、吊下部材４０の先端部４２を凹部３３１に掛けて音管１０を前方ピン３３に吊り下げた際、図５（ｂ）に示すように、先端部４２に接続されたワイヤー４１は、先端部４２からほぼ鉛直下方に向かって出される。ワイヤー４１を先端部４２からほぼ鉛直下方に出すことにより、ワイヤー４１を屈曲させる応力（以下、「屈曲応力」とも謂う）がワイヤー４１に加わることが抑制され、屈曲応力によりワイヤー４１が劣化することを抑制することができる。
【００３０】
切込の形成態様は、種々変更することが可能である。例えば、前方ピンの前方から凹部に向かって、あるいは、後方ピンの後方から凹部に向かって切込を形成することも可能である。このようにしても、切込の長さを適宜調整することにより、ワイヤー４１を先端部４２からほぼ鉛直下方に出すことができるので、屈曲応力によりワイヤー４１が劣化することを抑制することができる。
【００３１】
また、切込は、必ずしも前方ピンの上下端に渡って形成されている必要はない。切込は、凹部に吊下部材４０の先端部４２を掛けることができれば良く、例えば、前方ピンの上端から凹部の底面に達する程度の深さの切込を設けるものとしても良い。この場合においても、切込を前方ピンの左右の端部から凹部に向かって形成すれば、音管１０が吊り下げられた際にワイヤー４１に加わる張力が音管１０側に向かう成分を有するため、屈曲応力が低減され、屈曲応力によりワイヤー４１が劣化することを抑制することができる。但し、ワイヤー４１に加わる屈曲応力をより確実に低減することができる点で、切込を前方ピンの上下端に渡って形成するのが好ましい。なお、一般的に、ワイヤー４１に加わる屈曲応力を低減して屈曲応力によりワイヤー４１が劣化することを抑制するためには、ワイヤー４１が折れ曲がる部分をより少なくするのが好ましい。そのため、前方ピンの形状を適宜設定し、音管１０に設けられた貫通穴１８，１９の貫通方向に沿った方向において、吊下部材４０の先端部４２を凹部に掛けることができるようにするのが好ましい。
【００３２】
このように、本実施形態では、一端から音管１０の貫通穴１８，１９に通された吊下部材４０を用い、吊下部材４０の先端部４２をハンガーピン３３，３４に設けられた凹部３３１，３３２に掛けることで、音管１０をハンガーピン３３，３４に吊り下げている。これにより、音管１０は、先端部４２の位置を凹部３３１，３３２の位置に合わせ、音管１０を下方に降ろすことでハンガーピン３３，３４に吊り下げられる。また、音管１０をハンガーピン３３，３４から取り外す場合には、単に音管１０を上方に持ち上げれば良い。そのため、音管１０のハンガーピン３３，３４への着脱をより容易に行うことが可能となる。また、吊下部材４０は、その一端から音管１０の貫通穴１８，１９に通されるように構成されているので、吊下部材４０の音管１０への着脱が容易である。そのため、吊下部材４０の交換等、音管１０を吊り下げるための吊下構造のメンテナンスをより容易にすることができる。
【００３３】
Ｅ．変形例：
本発明は上記実施形態に限られるものではなく、その要旨を逸脱しない範囲において種々の態様において実施することが可能であり、例えば、次のような変形も可能である。
【００３４】
Ｅ１．変形例１：
上記実施形態では、吊下部材４０の先端部４２を球状としているが、吊下部材の先端部の形状は、必ずしも球状である必要はない。一般的に、音管１０は、音管１０に取り付けられた吊下部材の先端部をハンガーピンに設けられた凹部に掛けることが可能であれば、音管１０をハンガーピンに吊り下げることができる。そのため、吊下部材の先端部の形状は、例えば、楕円体状、円柱状、円錐体状、あるいは、立方体状としても良い。これらの場合、凹部の形状は、先端部の形状に合わせて適宜変更される。また、先端部の形状を棒状部材を折り曲げたフック状にすることも可能である。この場合、凹部は、折り曲げられた先端が挿入できれば良いため、凹部は必ずしも有底である必要はない。但し、音管１０の着脱の際に先端部が凹部に引っ掛かることを抑制して、音管の脱着をより容易にすることができる点で、先端部は球状にするのが好ましい。
【００３５】
Ｅ２．変形例２：
上記実施形態では、隣接する音管１０を吊り下げる際に、吊下部材４０の対向する位置にある先端部４２を１つのハンガーピン３３，３４に取り付けているが、隣接する音管１０に取り付けられた吊下部材４０の先端部４２を別個のハンガーピンに取り付けるものとしても良い。この場合、本実施形態におけるハンガーピン３３，３４を左右２つに分割し、分割したハンガーピンのそれぞれに、隣接する音管１０に取り付けられた吊下部材４０の先端部４２を取り付ければ良い。
【００３６】
Ｅ３．変形例３：
上記実施形態では、前方および後方の音管１０を、単一のハンガーバー３２に形成された前方ピン３３および後方ピン３４に吊り下げているが、前方の音管１０と、後方の音管１０とを別個のハンガーバーに形成されたハンガーピンに吊り下げることも可能である。この場合、ハンガーとして、前方ピン側のみにハンガーピンが設けられた２つのハンガーバーを前後および上下に離間して配置したものを用いれば良い。
【００３７】
Ｅ４．変形例４：
上記実施形態においては、本発明が適用されるチャイムとして、前方と後方との２列に音管１０が配列されたチャイム１を示しているが、本発明は、音管１０が一列に配列されたチャイム、あるいは、単一の音管１０のみを有するチャイム等にも適用することができる。また、本発明は、チャイム（チューブラーベル）に限らず、管状の発音体である音管を支持体に吊り下げる種々の楽器に適用することができる。
【符号の説明】
【００３８】
１…チャイム、１０…音管、１１…管体、１２…キャップ、１８，１９…貫通穴、２０…フレーム、２１…脚部、２２…支柱、３０…ハンガー、３１…支柱取付部、３２…ハンガーバー、３３，３４…ハンガーピン、４０…吊下部材、４１…ワイヤー、４２…先端部、４３…ブッシュ、３３１，３４１…凹部、３３２，３４２…切込、４３１…挿入部、４３２…大径部、４３３…通し穴、４３４…切込
【図１】
0006635300.tif 000002
【図２】
0006635300.tif 000003
【図３】
0006635300.tif 000004
【図４】
0006635300.tif 000005
【図５】
0006635300.tif 000006